【事件の表示】
　上記当事者間の登録第４２６７９７０号商標の商標登録無効審判事件について、次のとおり審決する。
【結　論】
　本件審判の請求は、成り立たない。
　審判費用は、請求人の負担とする。
【理　由】
１　本件商標
　本件登録第４２６７９７０号商標（以下、「本件商標」という。）は、平成７年７月３日登録出願、「ＰＲＯＭＯＤ」の欧文字よりなり、第２５類「被服，ガーター，靴下止め，ズボンつり，バンド，ベルド，履物，運動用特殊衣服，運動用特殊靴」を指定商品として同１１年４月３０日に登録されたものである。
　
２　請求人の引用する商標
　請求人が、本件商標の指定商品中「被服」は、商標法第４条第１項第１１号に該当するとして引用した登録第７３１９１６号商標（以下、「引用Ａ商標」という。）は、昭和４０年６月２２日登録出願、「プロモード」の片仮名文字を上段に、「Ｐｒｏｍｏｄｅ」の欧文字を下段に、それぞれ横書きしてなり、第１７類「被服、布製身回品、寝具類」を指定商品として同４２年１月３１日に登録され、同５２年６月６日、同６２年４月１７日および平成９年１月３０日に、それぞれ商標権の存続期間の更新登録がされているところ、本引用Ａ商標に対して、商標法第５０条の規定に基づく取消審判の請求があった結果、その指定商品中「布製身回品、寝具類」についてはその登録を取り消す旨の審決の確定登録が平成９年７月１６日にされているものである。
　同じく、登録第２７０６５８５号商標（以下、「引用Ｂ商標」という。）は、平成４年３月１２日登録出願、「プロモード」の片仮名文字を上段に、「ＰＲＯＭＯＤＥ」の欧文字を下段に、それぞれ横書きしてなり、第１７類「被服、布製身回品、寝具類」を指定商品として、同７年４月２８日に登録されたものである。
　以下、上記引用Ａ商標および引用Ｂ商標を併せて引用各商標という。
　
３　請求人の主張
　請求人は、本件商標の指定商品中、「被服」について登録を無効とする。審判費用は被請求人の負担とするとの審決を求めると申し立て、その理由および被請求人の答弁に対する弁駁を概要次のように述べ、証拠方法として甲第１号証ないし同第７号証（枝番を含む）を提出した。
　本件商標を構成する「ＰＲＯＭＯＤ」は普通の辞書に存在しない造語からなるものであるために定まった称呼はないが、これをローマ字読み、あるいは権利者の名称から「プロモド」が生ずる。その根拠の一つとして、本件商標の登録出願時の委任状とその訳文（甲第４号証）において本件権利者の名称は本件商標と同じ「ＰＲＯＭＯＤ」であり、これを「プロモド」と表記している。
　一方、引用Ａ商標および引用Ｂ商標は「プロモード」と「Ｐｒｏｍｏｄｅ」あるいは「ＰＲＯＭＯＤＥ」とを併記した構成からなるものであり、片仮名文字は欧文字の発音を仮名書きしたものであること明らかであるため、「プロモード」の称呼が生ずるのである。
　これより、本件商標より生ずる称呼「プロモド」と引用各商標から生ずる称呼「プロモード」とは、第３音の「モ」音において長音記号の有無の差異を有し、この長音記号を正確に発音することにより語感が異なることがあるとしても、長音記号の有無の発音は個人差があり常に必ずしも正確に発音されるとは限らず、両者の相違は微差にすぎないものである。
　このことは、特許庁商標課編「商標審査基準」の商標の称呼における類否について、「八、第４条第１項第１１号」の（Ｈ）（５）において、「相違する１音が長音の有無、促音の有無又は長音と促音、長音と弱音の差にすぎないとき」は両者は称呼上類似すると解説している（甲第５号証）。
　したがって、中間音の長音記号の有無のみの微差にすぎない本件商標と引用各商標とは当該「商標審査基準」で定められた原則からも類似するものであること明白である。
　しかも、本件審判事件の被請求人である本件商標の権利者は、引用Ｂ商標である甲第３号証の異議申立の決定の後に、本件審判事件の請求人であるユニチカ株式会社の当時の代表者に宛てた権利譲渡依頼の書簡（甲第６号証）において、本件商標の権利者自身の名称を自ら「プロモード社」「プロモード（ＰＲＯＭＯＤ）社」と記載しているのである。係る書簡は代理人が作成したものであるとしても、代理人の行為は権利者の行為に他ならないものであるから、登録商標から「プロモード」なる称呼が生ずることも明白である。
　すなわち、本件審判事件の被請求人自らが、甲第６号証に記載して使用している被請求人の名称「プロモード社」「プロモード（ＰＲＯＭＯＤ）社」から明らかなように「ＰＲＯＭＯＤ」からは「プロモード」の称呼が生ずるのであり、これは引用各商標から生ずる称呼「プロモード」と同一の称呼であり、そのため両者は称呼を共通にする類似商標であること明白である。
　さらに、本件審判事件の請求人が平成７年８月２９日に登録出願した平成７年商標登録願第８９２１０号の拒絶理由通知を提出する（甲第７号証）。当該登録出願は、甲第７号証の拒絶理由通知書に示されているように、類似商標として本件商標が引用されているのであり、商標法第４条第１項第１１号の規定に該当するという拒絶理由である。
　上記したいずれの事項も、本件商標と引用Ａ商標および引用Ｂ商標が類似するものであることを証明する顕著な事柄である。
　本件商標は「第２５類　被服，ガーター，靴下止め，ズボンつり，バンド，ベルト，履物，運動用特殊衣服，運動用特殊靴」を指定商品とするものであり、引用Ａ商標の指定商品は、第１７類「被服」、引用Ｂ商標の指定商品は、第１７類「被服、布製身回品、寝具類」である。本件商標の指定商品中の商品「被服」と引用Ａ商標及び引用Ｂ商標との指定商品中の商品「被服」とは法改正により全く同一ではないとしても、共通の商品が包含されているのであり、個々に列挙するまでもなく、両者は商品「被服」について同一または類似するものであること自明である。
　本件商標の出願日は、引用Ａ商標および引用Ｂ商標の設定登録日の後に登録出願された商標である。
　被請求人の答弁書は、これを精読するに、本件審判事件に係わる審判請求書に記載した事項について的確に答弁したものではない。
　本件商標の構成「ＰＲＯＭＯＤ」から「プロモド」の称呼が生ずるとしても特許庁商標課編「商標審査基準」から引用各商標と類似すること明らかである。その上、被請求人ら当事者はこの綴字の被請求人の名称を「プロモード」社と表示し、かつ、呼称している。しかも、請求人の登録出願した甲第２号証と略同一の構成である商願平７−８９２１０号は本件商標を引用した拒絶理由通知書を受けているのであり、本件商標が引用各商標に類似すること極めて明確である。
　したがって、本件商標はその指定商品の「被服」の登録は、商標法第４条第１項第１１号の規定に違反して登録されたものであるから、商標法第４６条第１項第１号の規定により登録無効にされるべきである。
　
　４　被請求人の答弁
　被請求人は、本件審判請求は成り立たない。審判費用は請求人の負担とするとの審決を求めると答弁し、その理由を概要次のように述べるとともに、証拠方法として乙第１号証ないし同第３７号証（枝番を含む）を提出した。
（１）本件商標と引用各商標とは、外観において相違する。
　本件商標は、欧文字「ＰＲＯＭＯＤ」より成る。他方、引用Ａ商標は「プロモード」「Ｐｒｏｍｏｄｅ」を上下２段に配してなり、同引用Ｂ商標は「プロモード」「ＰＲＯＭＯＤＥ」を上下２段に配してなる。
　よって、その構成から、本件商標は、引用各商標と外観において相違する。
（２）本件商標と引用各商標とは、観念においても相違する。
　本件商標「ＰＲＯＭＯＤ」は造語であり、英語にも仏語にも「ＰＲＯＭＯＤ」なる言葉はなく（乙第１号証、乙第２号証）、「プロモド」「ＰＲＯＭＯＤ」なる語が外来語として用いられていることもない（乙第３号証）。「ＰＲＯＭＯＤ」は被請求人の商号である。従って、本件商標「ＰＲＯＭＯＤ」からは「被請求人」の観念を生じうる以外何らの観念も生じない。
　他方、引用各商標からも何らの観念を生じない。「プロモード」、「Ｐｒｏｍｏｄｅ」、「ＰＲＯＭＯＤＥ」も造語であり、何ら一定の観念を生じない（乙第１ないし３号証参照）。
　よって、本件商標と引用各商標とは観念においても相違する。
（３）本件商標と引用各商標とは称呼においても相違する。
　本件商標からは「プロモド」の称呼を生ずる。他方、引用各商標からは「プロモード」の称呼を生ずる。
　両称呼を対比すると、本件商標は緊張した語感であり、引用各商標は間延びした語感である。両者は明らかに語感が相違しており、明瞭に聴取識別出来る。
　本件商標と引用各商標の称呼についての類否判断においては、「ＰＲＯ」は称呼類否の判断において重要性を有するものではなく、「プロ」「ＰＲＯ」「Ｐｒｏ」の後の文字、本件商標中の「ＭＯＤ」と引用各商標中の「モード」、「Ｍｏｄｅ」、「ＭＯＤＥ」とを対比すべきものである。
　以上により、本件商標の称呼「プロモド」は引用各商標の称呼「プロモード」と容易に聴取識別でき誤認混同の虞はなく、本件商標は引用各商標と称呼においても非類似である。
（４）取引の実情
　被請求人ＰＲＯＭＯＤ（法人である。フランスの法制では、法人に会社の種類を表す語を付さないものが商号である）は、世界的に著名なフランスのアパレルメーカーであり、登録商標「ＰＲＯＭＯＤ」は、被請求人の商号であると同時に、被請求人の世界的に著名な商標である。乙第７号証は、フランス大使館が１９９５年７月１９日に発行した「ＰＲＯＭＯＤ」が著名なフランスの商標であることの証明書である。
　乙第８号証ないし乙第１８号証に示すとおり、被請求人は日本のみならず、フランスをはじめとする世界の各国において本件商標と同一の商標を「被服」につき出願し登録を得ている。
　乙第１９号証及び乙第２０号証は、被請求人が世界中で発行しているＰＲＯＭＯＤ製品のカタログである。このように被請求人は、世界中でＰＲＯＭＯＤ製品を販売し、その宣伝広報に莫大な投資をしている。
　また、乙第２１ないし３６号証は、被請求人を紹介する雑誌、新聞記事である。
　他方、審判請求人であるユニチカ株式会社は乙第３７号証の同人のホームページに明らかなごとく、引用各商標「プロモード／Ｐｒｏｍｄｅ」「プロモード／ＰＲＯＭＯＤＥ」をその製品に一切使用していない。
　よって、本件商標が引用各商標と外観、観念、称呼において相違することに加え、上記取引の実情を考慮すれば、本件商標を付した商品と引用各商標を付した商品とで出所について誤認混同を生ずる虞れは、尚更無いものである。
　よって、本件商標は、引用各商標と非類似の商標であり、商標法４条１項１１号に該当しない。
　
５　当審の判断
　本件商標と引用各商標との類否について検討するに、本件商標は、前記したとおり「ＰＲＯＭＯＤ」の欧文字を書してなるものであって、これが特定の意味合いを有する成語とは認められない故に、これを称呼する場合、わが国において最も一般的に親しまれている英語風の読み方をもって称呼されるとみるのが自然であるから、本件商標からは「ＰＲＯＭＯＤ」の欧文字に相応して「プロモド」または「プロモッド」の自然的称呼が生ずるというべきである。
　一方、引用各商標の構成は、前記したとおりの構成であって、上段部の「プロモード」の片仮名文字は、下段部の欧文字の自然的称呼を表したものとみられることから、引用各商標からは、その構成文字に相応して「プロモード」の称呼が生ずるとともに、該「プロモード」の片仮名文字部分については、一般的に親しまれて使用されている外来語である「プロ」（プロフェッショナル（専門家））と「モード」（服装などの流行）の各語の結合よりなる一種の造語との印象・認識を与えるものというべきである。
　そこで、まず、本件商標より生ずる「プロモド」の称呼と引用各商標より生ずる「プロモード」の称呼を比較するに、両者は第３音目の「モ」の音が長音を伴うか否かの差異を有するものである。
　しかして、前者は「プロモド」と簡潔に一気に称呼し得る短い音構成であるのに対し、後者の「プロモード」は、上記した外来語の結合語との印象・認識から「プロ」と「モード」との間に息の段落を生じ易く全体として抑揚を伴って称呼されるとみるのが相当であり、両者をそれぞれ一連に称呼するときには、この差によりそれぞれの語調、語感が異なり互いに相紛れるおそれはないというべきである。
　次に、本件商標より生ずる「プロモッド」の称呼と引用各商標より生ずる「プロモード」の称呼を比較するに、両者は第３音目の「モ」の音が長音を伴うか促音を伴うかの差異を有するものである。
　そして、前者は促音を伴うことで全体が詰まるように強弱を伴って発音されるのに対して、後者の「プロモード」は、上記したとおり全体が抑揚を伴ってよどみなく発音されることから両者をそれぞれ一連に称呼するときには、この差により互いの語調、語感が相違し相紛れるおそれはないというべきである。
　してみれば、本件商標と引用各商標とは称呼上類似するものということはできない。
　請求人は、本件商標から「プロモード」の称呼をも生ずる旨主張するが、本件商標を構成する「ＰＲＯＭＯＤ」の欧文字からは、「プロモド」または「プロモッド」の称呼を自然とすること前記認定のとおりであって、たとえ、甲第６号証（被請求人会社代理人作成に係る請求人会社宛書面）の書面中に被請求人会社を「プロモード」とする表記が見受けられるとしても、それをもって直ちに本件商標が取引者・需要者間で、専ら「プロモード」の称呼をもって取引に資されるとするにはいささか不十分であって、ほかに本件商標が取引者・需要者間で「プロモード」の称呼をもって親しまれ、取引に資されているとする証左も認められないから、この点を述べる請求人の主張は採用の限りでない。
　また、本件商標と引用各商標の外観および、印象・認識の違いをも併せ考慮して総合的に検討すれば、本件商標と引用各商標とは必ずしも紛れ得るおそれはなく、互いに類似する商標ということはできないものと判断するのが相当である。
　したがって、本件商標は商標法第４条第１項第１１号に違反して登録されたものとはいえないから、同法第４６条第１項第１号によって、その登録を無効とすることはできない。
　よって、結論のとおり審決する。